(57)【要約】【課題】２組の切り換えスイッチをＮＯ側からＮＣ側に切り換えるときに接点間に発生するアークが消え易く、信頼性の高い電動機操作スイッチを提供する。【解決手段】切り換えスイッチ３、４のＣＯＭ端子の間に整流子電動機（図示せず）の界磁コイル５を接続し、切り換えスイッチ３のＮＣ端子とＮＯ端子の間に整流子電動機の電機子コイル６を接続し、切り換えスイッチ３のＮＣ端子と切り換えスイッチ４のＮＯ端子の間に電源７を接続し、切り換えスイッチ３のＮＯ端子と切り換えスイッチ４のＮＣ端子を短絡し、切り換えスイッチ３、４をＮＯ側からＮＣ側に切り換えるときに、切り換えスイッチ４を切り換えスイッチ３より先に切り換えるもので、最初に切り換えスイッチ４の接点間がアークで短絡して界磁コイル５が短絡されるため界磁コイル５のインダクタンスによる誘導起電力がなくなりアークが消滅して、接点の信頼性を高めることができる。【選択図】図１
2007312477.tif 000002
【特許請求の範囲】
【請求項１】
第１と第２の切り換えスイッチを有し、前記第１と第２の切り換えスイッチのＣＯＭ端子の間に整流子電動機の界磁コイルを接続し、前記第１の切り換えスイッチのＮＣ端子とＮＯ端子の間に前記整流子電動機の電機子コイルを接続し、前記第１の切り換えスイッチの前記ＮＣ端子と前記第２の切り換えスイッチのＮＯ端子の間に電源を接続し、前記第１の切り換えスイッチの前記ＮＯ端子と前記第２の切り換えスイッチのＮＣ端子を短絡し、前記第１と第２の切り換えスイッチをＮＯ側からＮＣ側に切り換えるときに時間差を設けて、前記第２の切り換えスイッチを前記第１の切り換えスイッチより先に切り換えるようにした電動機操作スイッチ。
【請求項２】
第１と第２の切り換えスイッチを有し、前記第１と第２の切り換えスイッチのＣＯＭ端子の間に整流子電動機の電機子コイルを接続し、前記第１の切り換えスイッチのＮＣ端子とＮＯ端子の間に前記整流子電動機の界磁コイルを接続し、前記第１の切り換えスイッチの前記ＮＣ端子と前記第２の切り換えスイッチのＮＯ端子の間に電源を接続し、前記第１の切り換えスイッチの前記ＮＯ端子と前記第２の切り換えスイッチのＮＣ端子を短絡し、前記第１と第２の切り換えスイッチをＮＯ側からＮＣ側に切り換えるときに時間差を設けて、前記第１の切り換えスイッチを前記第２の切り換えスイッチより先に切り換えるようにした電動機操作スイッチ。
【発明の詳細な説明】
【技術分野】
【０００１】
本発明は、電動機操作スイッチに関するもので、特に、整流子電動機の運転回路と停止時のブレーキ回路を切り換える電動機操作スイッチに関するものである。
【背景技術】
【０００２】
従来の電動機操作スイッチは、整流子電動機の運転回路と停止時のブレーキ回路を切り換えるときに２組の切り換えスイッチを同時に切り換えていた（例えば、特許文献１参照）。
【０００３】
図３は、上記特許文献１に開示された従来の電動機操作スイッチの回路図の例を示すもので、第１の切り換えスイッチ１と第２の切り換えスイッチ２をＮＯ側からＮＣ側に同時に切り換えるようにしている。
【特許文献１】特公昭６１−４５４４９号公報
【発明の開示】
【発明が解決しようとする課題】
【０００４】
しかしながら、前記従来の電動機操作スイッチの構成によると、２組の切り換えスイッチ１、２をＮＯ側からＮＣ側に切り換えた時に接点間に発生するアークが切れにくいといった課題があった。
【０００５】
本発明は、前記従来の課題を解決するもので、２組の切り換えスイッチをＮＯ側からＮＣ側に切り換えるときに接点間に発生するアークが消えやすい電動機操作スイッチを提供することを目的とする。
【課題を解決するための手段】
【０００６】
前記従来の課題を解決するために、本発明の電動機操作スイッチは、第１と第２の切り換えスイッチを有し、前記第１と第２の切り換えスイッチのＣＯＭ端子の間に整流子電動機の界磁コイルを接続し、前記第１の切り換えスイッチのＮＣ端子とＮＯ端子の間に前記整流子電動機の電機子コイルを接続し、前記第１の切り換えスイッチの前記ＮＣ端子と前記第２の切り換えスイッチのＮＯ端子の間に電源を接続し、前記第１の切り換えスイッチの前記ＮＯ端子と前記第２の切り換えスイッチのＮＣ端子を短絡し、前記第１と第２の切り換えスイッチをＮＯ側からＮＣ側に切り換えるときに時間差を設けて、前記第２の切り換えスイッチを前記第１の切り換えスイッチより先に切り換えるようにしたもので、第２の切り換えスイッチが先に切り換わるため各接点間がアークでつながった場合でも最初に第２の切り換えスイッチの接点間がアークで短絡して界磁コイルが短絡されるため界磁コイルのインダクタンスによる誘導起電力がなくなりアークが消滅して、接点の信頼性を高めることができるものである。
【０００７】
又、本発明の電動機操作スイッチは、第１と第２の切り換えスイッチを有し、前記第１と第２の切り換えスイッチのＣＯＭ端子の間に整流子電動機の電機子コイルを接続し、前記第１の切り換えスイッチのＮＣ端子とＮＯ端子の間に前記整流子電動機の界磁コイルを接続し、前記第１の切り換えスイッチの前記ＮＣ端子と前記第２の切り換えスイッチのＮＯ端子の間に電源を接続し、前記第１の切り換えスイッチの前記ＮＯ端子と前記第２の切り換えスイッチのＮＣ端子を短絡し、前記第１と第２の切り換えスイッチをＮＯ側からＮＣ側に切り換えるときに時間差を設けて、前記第１の切り換えスイッチを前記第２の切り換えスイッチより先に切り換えるようにしたもので、第１の切り換えスイッチが先に切り換わるため各接点間がアークでつながった場合でも最初に第１の切り換えスイッチの接点間がアークで短絡して界磁コイルが短絡されるため界磁コイルのインダクタンスによる誘導起電力がなくなりアークが消滅して、接点の信頼性を高めることができるものである。
【発明の効果】
【０００８】
本発明の電動機操作スイッチは、接点間に発生するアークが消え易く、接点の信頼性を高めることができるものである。
【発明を実施するための最良の形態】
【０００９】
第１の発明は、第１と第２の切り換えスイッチを有し、前記第１と第２の切り換えスイッチのＣＯＭ端子の間に整流子電動機の界磁コイルを接続し、前記第１の切り換えスイッチのＮＣ端子とＮＯ端子の間に前記整流子電動機の電機子コイルを接続し、前記第１の切り換えスイッチの前記ＮＣ端子と前記第２の切り換えスイッチのＮＯ端子の間に電源を接続し、前記第１の切り換えスイッチの前記ＮＯ端子と前記第２の切り換えスイッチのＮＣ端子を短絡し、前記第１と第２の切り換えスイッチをＮＯ側からＮＣ側に切り換えるときに時間差を設けて、前記第２の切り換えスイッチを前記第１の切り換えスイッチより先に切り換えるようにしたもので、第２の切り換えスイッチが先に切り換わるため各接点間がアークでつながった場合でも最初に第２の切り換えスイッチの接点間がアークで短絡して界磁コイルが短絡されるため界磁コイルのインダクタンスによる誘導起電力がなくなりアークが消滅して、接点の信頼性を高めることができるものである。
【００１０】
第２の発明は、第１と第２の切り換えスイッチを有し、前記第１と第２の切り換えスイッチのＣＯＭ端子の間に整流子電動機の電機子コイルを接続し、前記第１の切り換えスイッチのＮＣ端子とＮＯ端子の間に前記整流子電動機の界磁コイルを接続し、前記第１の切り換えスイッチの前記ＮＣ端子と前記第２の切り換えスイッチのＮＯ端子の間に電源を接続し、前記第１の切り換えスイッチの前記ＮＯ端子と前記第２の切り換えスイッチのＮＣ端子を短絡し、前記第１と第２の切り換えスイッチをＮＯ側からＮＣ側に切り換えるときに時間差を設けて、前記第１の切り換えスイッチを前記第２の切り換えスイッチより先に切り換えるようにしたもので、第１の切り換えスイッチが先に切り換わるため各接点間がアークでつながった場合でも最初に第１の切り換えスイッチの接点間がアークで短絡して界磁コイルが短絡されるため界磁コイルのインダクタンスによる誘導起電力がなくなりアークが消滅して、接点の信頼性を高めることができるものである。
【００１１】
以下、本発明の実施の形態について、図面を参照しながら説明する。なお、この実施の形態によって本発明が限定されるものではない。
【００１２】
（実施の形態１）
図１は、本発明の実施の形態１における電動機操作スイッチの回路図である。
【００１３】
図１において、本実施の形態における電動機操作スイッチは、第１の切り換えスイッチである切り換えスイッチ３と、第２の切り換えスイッチである切り換えスイッチ４を有し、切り換えスイッチ３と切り換えスイッチ４のＣＯＭ端子の間に整流子電動機（図示せず）の界磁コイル５を接続し、切り換えスイッチ３のＮＣ端子とＮＯ端子の間に整流子電動機の電機子コイル６を接続し、切り換えスイッチ３のＮＣ端子と切り換えスイッチ４のＮＯ端子の間に電源７を接続し、切り換えスイッチ３のＮＯ端子と切り換えスイッチ４のＮＣ端子を短絡している。
【００１４】
さらに、本実施の形態では、切り換えスイッチ３と切り換えスイッチ４をＮＯ側からＮＣ側に切り換えるときには時間差を設けて、切り換えスイッチ４を切り換えスイッチ３より先に切り換えるようにしている。
【００１５】
以上のように、本実施の形態によれば、切り換えスイッチ３と切り換えスイッチ４が、共にＮＯ側にあるときは、整流子電動機の界磁コイル５と電機子コイル６は直列に電源７に接続され整流子電動機は運転状態になり、共にＮＣ側にあるときは整流子電動機の界磁コイル５と電機子コイル６は電源７から切り離されると共に運転時とは逆方向に接続され、惰性で回転している電機子コイル６に界磁鉄心（図示せず）の残留磁束の作用でブレーキ力が発生して停止する。
【００１６】
整流子電動機の界磁コイル５は、一方向に巻き線しているため大きなインダクタンスを有しており、電機子コイル６は、放射状に巻き線しているためインダクタンスは小さく整流子電動機の回路を遮断するときに接点間に発生するアークは、主に界磁コイル５のインダクタンスの誘導起電力によるものである。
【００１７】
本実施の形態では、切り換えスイッチ３と切り換えスイッチ４が運転時のＮＯ側からＮＣ側に切り換わるとき、各接点間がアークでつながったとしても切り換えスイッチ４が先にＮＣ側に到達するため、最初に切り換えスイッチ４の接点間がアークで短絡して界磁コイル５が短絡されるため、界磁コイル５のインダクタンスによる誘導起電力がなくなりアークが消滅して、接点の信頼性の高い電動機操作スイッチが得られる。
【００１８】
（実施の形態２）
図２は、本発明の実施の形態２における電動機操作スイッチの回路図である。
【００１９】
図２において、本実施の形態における電動機操作スイッチは、第１の切り換えスイッチである切り換えスイッチ８と、第２の切り換えスイッチである切り換えスイッチ９を有し、切り換えスイッチ８と切り換えスイッチ９のＣＯＭ端子の間に整流子電動機の電機子コイル１０を接続し、切り換えスイッチ８のＮＣ端子とＮＯ端子の間に整流子電動機の界磁コイル１１を接続し、切り換えスイッチ８のＮＣ端子と切り換えスイッチ９のＮＯ端子の間に電源１２を接続し、切り換えスイッチ８のＮＯ端子と切り換えスイッチ９のＮＣ端子を短絡している。切り換えスイッチ８と切り換えスイッチ９をＮＯ側からＮＣ側に切り換えるときには、時間差を設けて切り換えスイッチ８を切り換えスイッチ９より先に切り換えるようにしている。
【００２０】
以上のように、本実施の形態によれば、切り換えスイッチ８と切り換えスイッチ９が運転時のＮＯ側からＮＣ側に切り換わるとき、各接点間がアークでつながったとしても切り換えスイッチ８が先にＮＣ側に到達するため最初に切り換えスイッチ８の接点間がアークで短絡して界磁コイル１１が短絡されるため界磁コイル１１のインダクタンスによる誘導起電力がなくなりアークが消滅して、接点の信頼性の高い電動機操作スイッチが得られる。
【産業上の利用可能性】
【００２１】
以上のように本発明にかかる電動機操作スイッチは、フードミキサーなど整流子電動機を有する各種調理器、機器に適用できる。
【図面の簡単な説明】
【００２２】
【図１】本発明の実施の形態１における電動機操作スイッチの回路図
【図２】本発明の実施の形態２における電動機操作スイッチの回路図
【図３】従来の電動機操作スイッチの回路図
【符号の説明】
【００２３】
３、８  切り換えスイッチ（第１の切り換えスイッチ）
４、９  切り換えスイッチ（第２の切り換えスイッチ）
５、１１  界磁コイル
６、１０  電機子コイル
７、１２  電源
【図１】
2007312477.tif 000003
【図２】
2007312477.tif 000004
【図３】
2007312477.tif 000005